(57)【要約】【課題】老々介護が問題になっている今日、介護人も白内障になるなど、目が見えずらくなっている。またお年寄りは、腸がゆるくなり下着等を便で汚すことが多い。  介護をしている人が一番嫌なのが、便で汚れた下着等を洗うことで、度々洗うため臭いが身体に染み付くことである。  本発明はバケツ一つで手を汚さず洗濯できる洗濯容器を提供する。【解決手段】深いバケツに両手が入る穴を開け、穴の周りにリングを付け、リングに市販のゴム手袋を装着し、バケツ内部に吊した石鹸で下着等を洗い、絞り、バケツ上部に設けた排水口から汚水を便器等に流し、再び水、湯を入れ洗い具賄を確認する為、バケツの蓋は透明にして傾斜をかけ拡大鏡を付け中に入れた下着等の汚れを大きく見やすくし、湯を使う時の蒸気抜き穴を開け、蛇口から水を流しながら洗える上戸を付属した洗濯容器。【選択図】図１
2019042459.tif 000002
【特許請求の範囲】
【請求項１】
蓋付きの深いバケツを使用し、その側面に手の入る大きさの穴を横並びに二個開け、その穴の周りにリングを設け、ゴム手袋の端を伸ばして被せたとき、外れにくくするためリングの先を凹凸の形にし、リングに取り外し可能のゴム手袋を装着したことを特長とする洗濯容器。
【請求項２】
バケツに開けた二個の穴の反対側のバケツ側面上部に排水口を設けたことを特長とする請求項１の洗濯容器。
【請求項３】
バケツの蓋は全体を透明にし、手前に向かって低くなるように傾斜をかけ、中央に拡大鏡を付け、拡大鏡の周りに蒸気抜き穴を複数開け、バケツと一体化するためのゴム紐を付けたことを特長とする請求項１及び請求項２の洗濯容器。
【請求項４】
バケツの内側上部に、石鹸を吊すフックと石鹸を吊したゴム紐を止めるフックを付け、バケツ外側の二個の穴の間に蓋のゴム紐を引っ掛けるフックを付けた請求項１及び請求項２請求項３の洗濯容器。
【請求項５】
バケツの蓋の蒸気抜き穴に刺して使用する上戸の先に付けた散水網は、網目を菱形にした請求項１及び請求項２請求項３請求項４の洗濯容器。
【発明の詳細な説明】
【技術分野】
【０００１】  本発明は、目が見えづらくなったお年寄りの介護人が、介護を受けている人の汚物の付いた下着等を洗濯する時や、女性の生理下着、乳児のオムツからこぼれ出た水便が付着した服などを洗う時など、洗濯機で他の物と同時に洗えない特別に汚れた物を洗う時、拡大鏡で汚れやシミを外から拡大して見ながら、バケツの中だけで手を汚すことなく洗濯する主に介護用の拡大鏡付き洗濯容器に関するものである。【０００２】  従来、認知症の方や寝たきりの方の介護をしている人は、汚物等で汚れた物をバケツに入れゴム手袋をして、トイレに流せるように水だけで仮洗いをし、トイレなどに流し、その後洗剤で再びあらうのが一般的である。
また、汚物等で汚れた触りたくない物を取り扱う時のアイデア構成要素を有したものが知られている（特許文献１、特許文献２参照）。
【先行技術文献】
【特許文献】
【０００３】
【特許文献１】特開平５−２７７１５０号公報
【特許文献２】特開２０００−２２９６８０公報
【発明の概要】
【発明が解決しようとする課題】
【０００４】  老々介護が問題になっている今日、介護をする人も白内障になっていたり、老眼鏡を掛けるなど細かい物を見るのが困難になっているため、完全に汚れが落ちているかどうか解りづらい。
また、洗濯機で他の物と一緒に洗えない汚れた下着などを洗うとき、ゴム手袋をしていても手や周りを汚すことがあり、身体に臭いが染み付く事も大きな問題で、介護をしている人が一番苦痛なのは、触りたくない汚物等で汚れた下着や衣類を洗濯することである。
本発明は、以上の問題点を解決するものである。
【課題を解決するための手段】
【０００５】  蓋の付いたやや深いバケツの側面に手の入れられる大きさの穴を２個開け、その穴の周囲にリングを付け、リングの上からゴム手袋を被せバケツの中に入れる。
２個のゴム手袋穴の反対側のバケツ側面上部に排水口を設ける。
蓋全体を透明にし、手前が低くなるように傾斜をつけ、蓋の中央に拡大鏡を設け、拡大鏡の周りに蓋の持ち手を兼ねた蒸気抜き穴を複数開ける。
蓋の蒸気抜き穴一ヵ所に散水網が付いた四角錐の上戸を刺す。
バケツ内側の上部に石鹸フックを付ける。
以上の構成よりなる拡大鏡付き洗濯容器。
【発明の効果】
【０００６】透明の蓋に拡大鏡を付け、ゴム手袋をバケツに装着し、排水口を設け、バケツの中に石鹸を吊したことで、蓋付きバケツが洗濯容器となり、一度洗濯物を入れてしまえば、蓋を開けなくても洗い終わることができる。
汚れたものをすぐ水が入ったバケツの中に封じ込み、蓋をしたまま装着しているゴム手袋で石鹸を擦りつけながら洗い絞るので、手を汚すこともなく、汚水を排水口より便器等に注ぎ流すので、汚水が飛び散ることもない。
洗濯物は汚水を排水するまでバケツの中にあるので、悪臭の問題も解決する。
また、拡大鏡によって、汚れ、シミが外から大きくハッキリ見えるため、汚れに近づいて見る必要もなく衛生的で、目が見えづらくなったお年寄りも汚れを洗い残すことが少ない。
【図面の簡単な説明】
【０００７】
【図１】  本発明の正面の斜視図
【図２】  本発明の背面の斜視図
【図３】  本発明の側面の斜視図
【図４】  本発明の蓋の正面図
【図５】  本発明の蓋の拡大鏡からみたゴム手袋の使用状態を示した斜視図
【図６】  本発明の内部の斜視図（Ａ）とゴム手袋を装着、石鹸を吊したときの内部の斜視図（Ｂ）
【図７】  本発明を使用して洗濯する状態を示した斜視図
【図８】  本発明の中の汚水を便器に注ぎ流し出す使用状態を示した斜視図
【図９】  本発明を分解した時の部品の図
【図１０】  本発明に水を入れるための散水網の付いた上戸の斜視図
【図１１】  本発明で濯ぎ洗いをするとき、蛇口から水を継続して流し続ける為に上戸を蒸気穴に刺して使用する状態を示した図。
【図１２】  本発明の蓋の蒸気抜き穴に刺す上戸に付けた菱形散水網の拡大図（Ａ）と菱形網の散水の状態を示した斜視図（Ｂ）。
【発明を実施するための形態】
【０００８】  以下、本発明の実施の形態を説明する。
（イ）蓋（１）のついた深いバケツ（１７）の側面に、少量の洗濯物が浸る程度の水が入る深さをキープして両手が入る大きさのゴム手袋穴（６）を２個開ける。
（ロ）ゴム手袋穴（６）の周囲に凹凸リング（７）を設け、リングの凹凸にゴム手袋（１３）の端を被せゴム手袋（１３）の先をバケツ（１７）の内側に入れる。
（ハ）２個のゴム手袋穴（６）の中間の反対側のバケツ（１７）側面上部に排水口（１０）を設ける。
（ニ）蓋（１）全体を透明にして、中央に拡大鏡（２）を付け、拡大鏡（２）の周りに蒸気抜き穴（３）を数個開ける。
（ホ）蓋（１）の蒸気抜き穴（３）に四角錐の上戸（１４）を刺す。
（ヘ）バケツ（１７）の内側の上部に石鹸吊るしフック（８）を設け、その下に石鹸ゴム紐止めフック（１８）を付ける。
（ト）蓋（１）に蓋ゴム紐（４）を付け、バケツ（１７）に蓋のゴム紐止めフック（１１）をつける。
本発明は以上のような構造である。
【０００９】  本発明を使用するときは、バケツ（１７）のゴム手袋穴（６）の凹凸リング（７）に市販のゴム手袋（１３）の端を伸ばして装着し、バケツ（１７）に下着などの洗濯物を入れ水を入れる。
バケツ（１７）に入れる水の量は、ゴム手袋穴（６）の位置の下までにし，ゴム手袋（１３）に両手を入れ、洗濯物を水だけで揉み洗いをする。
図８で示すように、水で仮洗いをした後の汚水は、ゴム手袋（１３）から両手を抜き、柄（１２）を持ち蓋（１）を押さえ、周りに飛び散らないように、ヤカンの注ぎ口を応用した排水口（１０）より注ぎ流す。
このときバケツ（１７）の中の洗濯物をゴム手袋（１３）をした両手で絞り、片方のゴム手袋（１３）の手で掴み、もう片方はゴム手袋（１３）から手を抜き、その手で蓋（１）を押さえ、そのまま排水口（１０）より便器、排水溝等に注ぎ流すこともできる。
その後、蓋（１）の持ち手を兼ねた蒸気抜き穴（３）二個に二本の指を引っ掛け、バケツ（１７）の蓋（１）を開け、水や湯を定位置まで入れ蓋（１）を閉める。
このとき蓋（１）を開けているので、洗剤や殺菌、漂白のための漂白剤等を入れることもできる。ホースや上戸（１４）を使用して、穴から水や湯を入れる場合は蓋（１）を開けない。
【００１０】  図１１で示すように、再びゴム手袋（１３）に両手を入れる。
手洗いの場合、部分的なシミ汚れは石鹸を擦りつけた方が汚れが落ちやすいので、洗濯物のシミ汚れの部分に、バケツ（１７）の内部にゴム紐で吊り下げた石鹸（９）を、拡大鏡で見やすい所までゴム紐を伸ばし石鹸を持ってきて、シミ汚れに石鹸を当て、擦りつける。
拡大鏡で汚れを大きくして見ながら揉み洗いをし、洗い終わると石鹸ゴム紐止めフック（１８）に石鹸のゴム紐を引っ掛け、石鹸をバケツ（１７）に固定する。
洗濯物を絞り、バケツ（１７）に固定した石鹸のゴム紐に、絞った洗濯物の一部を引っ掛け仮止めして、再び汚水を排水口より排出し、再度水や湯を入れ濯ぎ洗う。
【００１１】  図１１で示すように、四角錐の上戸（１４）は蒸気抜き穴（３）の一ヵ所に刺して蛇口から水や湯を継続して流しながら蓋（１）を開けずに洗濯物を濯ぎ洗いすることができる。
図１０で示すように、四角錐の上戸（１４）は蛇口から水や湯を入れるとき、四角錐の角は斜めの蓋（１）に当たり止まり、水圧で丸い上戸のようにクルクル回ることを防ぐ。
図１２で示すように、上戸（１４）の先に付けた散水網（１５）は菱形の網にすることによって広範囲に散水し、蛇口からの水量を変えることで菱形の網は複雑に水流の形を変えてバケツ（１７）内に散水する。
【００１２】  図４で示すように、バケツ（１７）内に溢れた水や湯は、バケツ（１７）の側面上部に設けた排水口（１０）の高さまで届くと排水口（１０）より自然に排水され蓋（１）の拡大鏡（２）が浸ることがない。
拡大鏡（２）は、ゴム手袋（１３）の手に乗せた下着等の汚れ、シミを蓋（１）を開けることなく、外側から拡大して見ることができ、バケツ（１７）の中で、ゴム手袋（１３）の手を上下することで、よりハッキリ自分に合った見やすい拡大の位置で作業が可能である。
また図４で示すように、蓋（１）は内部を明るく見やすくするため、全体を透明にし、手前が低くなるように傾斜をかけ、拡大鏡（２）も斜めに設置しているため、首を傾けて中をのぞきこむ必要もなく、より楽に拡大された汚れやシミが見やすく、老々介護の方など目が見えづらくなったお年寄りも汚れの落ち具賄が楽に良くわかる。
【００１３】  上戸（１４）を使用すれば洗濯の途中、上戸（１４）から洗剤、漂白剤を入れることもでき、最初にバケツ（１７）に汚れた下着等を入れ蓋（１）をしてしまえば、その後一度も蓋（１）を開けることなく洗濯を終わることもできるので、特別に汚れた女性の下着を洗うのにも適している。
また、ミルクを飲む乳児は水便に近いため、オムツから衣服に便がこぼれ出たり、オムツ替えのとき衣服に付いてしまうことが多く、何度も着替えさせることになるが、便で汚れた小さな衣服はバケツ（１７）に入るので、洗濯機で洗う他の洗濯物と分けて容易に洗える。
【００１４】  汚れを落ち易くするために湯を使う場合、蓋（１）をして密封すると拡大鏡（２）が湯げで曇るため、拡大鏡（２）の周りに蒸気抜き穴（３）を複数開け、拡大鏡（２）の曇りを防ぐ。
蓋ゴム紐（４）をバケツ（１７）の蓋のゴム紐止めフック（１１）に引っ掛けると、蓋（１）とバケツ（１７）が一体化し、排水のとき軽く片手を蓋（１）に添えるだけで作業が容易である。
本発明は洗濯容器として使用するが、ゴム手袋を取り外せば、爪を切るときなどに使用でき、爪が拡大して見え切り易く、切った爪がバケツの中から飛び散らない。。
【符号の説明】
【０００９】  １蓋、２拡大鏡、３蒸気抜き穴、４蓋ゴム紐、５蓋正面目印、６ゴム手袋穴、７凹凸リング、８石鹸吊るしフック、９石鹸、１０排水口、１１蓋のゴム紐止めフック、１２柄、１３ゴム手袋、１４上戸、１５散水網、１６バケツ正面目印、１７バケツ、１８石鹸ゴム紐止めフック。
【図１】
2019042459.tif 000003
【図２】
2019042459.tif 000004
【図３】
2019042459.tif 000005
【図４】
2019042459.tif 000006
【図５】
2019042459.tif 000007
【図６】
2019042459.tif 000008
【図７】
2019042459.tif 000009
【図８】
2019042459.tif 000010
【図９】
2019042459.tif 000011
【図１０】
2019042459.tif 000012
【図１１】
2019042459.tif 000013
【図１２】
2019042459.tif 000014